(57)【要約】【課題】積み重ねて保管する際に傷が付きにくく、より長い期間の使用に耐えることができる標識塔を提供すること。【解決手段】本発明に係る標識塔Ａは、高さ方向の上端に位置し、平面視において複数の辺に囲まれた多角形状をした頂面パネル１と、頂面パネル１の上記各辺に上端がつながるとともに、相互にコーナー部３を介して隣接する複数の側面パネル２ａ，２ｂとを備え、内部が空洞となっている略多角錐台状の標識塔であって、少なくとも高さ方向の一部の横断面において、少なくとも２つのコーナー部３ないしその近傍の外面には、膨出部３ａが形成されている。【選択図】図１
2008184805.tif 000002
【特許請求の範囲】
【請求項１】
高さ方向の上端に位置し、平面視において複数の辺に囲まれた多角形状をした頂面パネルと、上記頂面パネルの上記各辺に上端がつながるとともに、相互にコーナー部を介して隣接する複数の側面パネルとを備え、内部が空洞となっている略多角錐台状の標識塔であって、
少なくとも高さ方向の一部の横断面において、少なくとも２つのコーナー部ないしその近傍の外面には、膨出部が形成されていることを特徴とする、標識塔。
【請求項２】
上記頂面パネルは略矩形形状をしているとともに、上記複数の側面パネルは４枚のパネルからなっている略四角錐台状をしており、少なくとも高さ方向の一部の横断面において、少なくとも対向関係にある２つのコーナー部ないしその近傍の外面には、上記膨出部が形成されている、請求項１に記載の標識塔。
【請求項３】
上記膨出部は、上記側面パネルの外面よりも外方に突出するように形成されている、請求項１または２に記載の標識塔。
【請求項４】
上記頂面パネルの内面に、所定量下方に突出する膨出部が形成されている、請求項１ないし３のいずれかに記載の標識塔。
【発明の詳細な説明】
【技術分野】
【０００１】
本発明は、路上や店頭に設置して使用され、交通規制のための標識や、広告等を示すための標識塔に関する。
【背景技術】
【０００２】
この種の標識塔としては、たとえば特許文献１に記載されたものがある。図７に示すように、同文献に示された標識塔Ｘは、中空円錐状のコーン９１およびコーン９１の側面に取り付けられた表示シール９５を備える。表示シール９５の表面には、種々の標識が印刷等によって示される。なお、標識表示は、表示シール９５を用いることなく、コーン９１の表面に直接印刷等によって示されることもある。この標識塔Ｘは、保管にあたっては、保管スペースを節約するために、図７に示すように高さ方向に積み重ねられる。
【０００３】
しかしながら、このような標識塔Ｘにおいては、図７のように重ねる際に、下の標識塔Ｘのカバー９５が、上の標識塔Ｘのコーン９１の内面と擦れて傷がついたり、標識表示が削りとられてしまうことがあった。
【０００４】
【特許文献１】特開２００２−３３９３２６号公報
【発明の開示】
【発明が解決しようとする課題】
【０００５】
本発明は、上記した事情のもとで考え出されたものであって、積み重ねて保管する際に外表面に傷が付きにくく、より長期間の使用に耐えることができる標識塔を提供することを課題としている。
【課題を解決するための手段】
【０００６】
上記課題を解決するため、本発明では、次の技術的手段を講じている。
【０００７】
本発明によって提供される標識塔は、高さ方向の上端に位置し、平面視において複数の辺に囲まれた多角形状をした頂面パネルと、上記頂面パネルの上記各辺に上端がつながるとともに、相互にコーナー部を介して隣接する複数の側面パネルとを備え、内部が空洞となっている略多角錐台状の標識塔であって、少なくとも高さ方向の一部の横断面において、少なくとも２つのコーナー部ないしその近傍の外面には、膨出部が形成されていることを特徴とする。
【０００８】
好ましい実施の形態においては、上記頂面パネルは略矩形形状をしているとともに、上記複数の側面パネルは４枚のパネルからなっている略四角錐台状をしており、少なくとも高さ方向の一部の横断面において、少なくとも対向関係にある２つのコーナー部ないしその近傍の外面には、上記膨出部が形成されている。
【０００９】
好ましい実施の形態においてはまた、上記膨出部は、上記側面パネルの外面よりも外方に突出するように形成されている。
【００１０】
このような構成によれば、上記標識塔に同型の標識塔を積み重ねる際に、下位に位置する標識塔のコーナー部ないしその近傍に設けられた膨出部に上位に位置する標識塔の内面が接触する。このため、下位に位置する標識塔の各側面が積み上げられた上位の標識塔の内面と擦れにくくなっている。したがって、標識塔の各側面に直接形成された、または、印刷を施した表示シールを貼着することによって形成された標識表示が劣化することを都合よく回避することができる。このように、本発明に係る標識塔は、積み重ねて保管するという操作を繰り返しても、標識表示が傷つきにくく、長持ちする。
【００１１】
好ましい実施の形態においてはまた、上記頂面パネルの内面に、所定量下方に突出する膨出部が形成されている。このような構成によれば、上記標識塔に同型の標識塔を積み重ねる際に、下位に位置する標識塔の頂面パネルの外面と、上位に位置する標識塔の頂面パネルの内面とが所定量離間する。このため、上位の標識塔の側面パネルの内面と、下位の標識塔の外面間の密着を回避することができ、上下の標識塔を引き離しやすくなる。
【００１２】
本発明のその他の特徴および利点は、添付図面を参照して以下に行う詳細な説明によって、より明らかとなろう。
【発明を実施するための最良の形態】
【００１３】
以下、本発明の好ましい実施の形態について、図面を参照して具体的に説明する。
【００１４】
図１は、本発明に係る標識塔の一例を示す斜視図である。図２に図１のII-II線に沿う断面図を示している。図３に図１のIII-III線に沿う断面の一部を示している。さらに、図４には、標識塔Ａを二つ重ねた状態を斜視図で示しており、図５には図４のV-V線に沿う断面図を、図６には図４のVI-VI線に沿う断面図を示している。この標識塔Ａは、図１の上下方向を高さ方向とし、頂面パネル１、側面パネル２ａ，２ｂ，２ｃ，２ｄ、コーナー部３、土台部４、および表示シール５で構成されており、四角錐台状の外形をしている。なお、この標識塔Ａは、たとえばポリプロピレンなどによる樹脂成形によって形成されている。
【００１５】
頂面パネル１は、高さ方向に所定の厚みを有し、各頂点が丸みを帯びた正方形の平面視形状を有するように形成されており、標識塔Ａの高さ方向の最上部に配置されている。
【００１６】
側面パネル２ａ，２ｂ，２ｃ，２ｄは、それぞれその上端縁が頂面パネル１の正方形の各辺に連結されているとともに、それぞれの下端縁は土台部４に連結され、かつ、両側縁が各コーナー部３を介して隣接する他の側面パネルに連結された、略等脚台形状である。側面パネル２ａ，２ｂ，２ｃ，２ｄは、いずれも所定の厚みを有する板状に形成されており、これらの側面パネル２ａ，２ｂ，２ｃ，２ｄに囲まれた標識塔Ａの内部は空洞になっており、かつ、この空洞は、下に行くほど広くなる。
【００１７】
コーナー部３は、各側面パネル２ａ，２ｂ，２ｃ，２ｄの側縁どうしを連結する部分であり、高さ方向の略全長にわたり、所定厚みの円弧状の断面を有している。ただし、このコーナー部３は、その外面が各側面パネル２ａ，２ｂ，２ｃ，２ｄの外面よりも膨出するようにして、各側面パネル２ａ，２ｂ，２ｃ，２ｄよりも厚みが拡大されている。これにより、この標識塔Ａは、各コーナー部３において、膨出部３ａが形成されることになる。
【００１８】
土台部４は、標識塔Ａを支持するために、側面パネル２ａ，２ｂ，２ｃ，２ｄの下端縁と連結され、高さ方向に所定の厚みを有するとともに、外向フランジ状に拡大した形態をもっている。この土台部４の内壁４ａは、各側面パネル２ａ，２ｂ，２ｃ，２ｄの内壁と連続しており、下面には、正方形の開口部６が形成されている。
【００１９】
表示シール５は、たとえば、表面側に文字や図柄が印刷等によって表された粘着シールなどからなり、側面パネル２ａ，２ｂ，２ｃ，２ｄのいずれか、またはすべての表面に貼着されている。
【００２０】
なお、図６に示すように、頂面パネル１の内面に、所定量下方に突出するリブ等の膨出部１ａが形成されている。
【００２１】
次に、上記した標識塔Ａの作用について説明する。
【００２２】
図４に示すように、開口６から別の標識塔Ａを内部の空洞に差し込み、標識塔Ａを重ねると、スペースを節約して多数の標識塔Ａを保管することができる。
【００２３】
標識塔Ａを上下に２つ重ねた場合、図５に示すように、下位にある標識塔Ａの膨出部３ａと、上位にある標識塔Ａの側面パネル２ａ，２ｂ，２ｃ，２ｄの内面とが接触する。このため、下位にある標識塔Ａの側面パネル２ａに貼り付けられた表示シール５が、上位にある標識塔Ａの側面パネル２ａの内面と接触するのを防ぐことができる。また、下位にある標識塔Ａに上位の標識塔Ａを被せるようにして重ねる過程においても、上位の標識塔Ａの土台部４の内壁４ａの下縁部もまた、下位の標識塔Ａのコーナー部３の膨出部３ａに接触しつつ下方に移動するので、上位の標識塔Ａの土台部４の内壁４ａの下縁部が下位の標識塔Ａの側面パネル２ａ，２ｂ，２ｃ，２ｄの外面を擦るといったこともない。したがって、標識塔Ａは複数個重ねても、表示シール５や、側面パネル２ａ，２ｂ，２ｃ，２ｄの外面に直接表された表示が擦られて傷ついたり、はがれたりしにくく、長持ちする。
【００２４】
また、この標識塔Ａは、頂面パネルの裏面にも膨出部１ａが形成されているので、標識塔Ａを上下に重ねた場合に頂面パネル１間の間隔を所定以上に維持し、そうすることによって、上位にある標識塔Ａの側面パネル２ａ，２ｂ，２ｃ，２ｄの内面と、下位にある標識塔Ａの側面パネル２ａ，２ｂ，２ｃ，２ｄの外面間の密着を回避することができる。したがって、複数個が重ねられた状態から、各標識塔Ａをすみやかに分離することができる。
【００２５】
以上、本発明の具体的な実施形態を説明したが、本発明はこれに限定されるものではなく、発明の思想から逸脱しない範囲内で種々な変更が可能である。
【００２６】
上記実施形態では、４つのコーナー部３のすべてに、その上下方向のほぼ全長にわたって膨出部３ａが形成されているが、少なくとも対向関係にある２つのコーナー部３の外面に膨出部３ａが形成されていればよい。また、膨出部３ａが、コーナー部３の上下方向全長ではなく、一部の範囲に不連続に設けられていてもよい。
【００２７】
また、上記実施形態では、頂面が略正方形の四角錐台の形態となっているが、頂面パネルの形状は正方形以外の矩形形状、たとえば長方形であってもよい。さらには、頂面パネルの形状を三角形、あるいは、五角形以上の多角形とし、全体を多角錐台の形態に構成することもできる。
【図面の簡単な説明】
【００２８】
【図１】本発明に係る標識塔の一例を示す斜視図である。
【図２】図１のII−II線に沿う断面図である。
【図３】図１のIII−III線に沿う断面図である。
【図４】図１の標識塔を２つ重ねた状態を示す斜視図である。
【図５】図４のV−V線に沿う断面図である。
【図６】図４のVI−VI線に沿う断面図である。
【図７】従来の標識塔を２つ重ねた状態を示す斜視図である。
【符号の説明】
【００２９】
Ａ                      標識塔
１                      頂面パネル
１ａ                    膨出部
２ａ，２ｂ，２ｃ，２ｄ  側面パネル
３                      コーナー部
３ａ                    膨出部
４                      土台部
４ａ                    内壁
５                      表示シール
６                      開口
【図１】
2008184805.tif 000003
【図２】
2008184805.tif 000004
【図３】
2008184805.tif 000005
【図４】
2008184805.tif 000006
【図５】
2008184805.tif 000007
【図６】
2008184805.tif 000008
【図７】
2008184805.tif 000009